(57)【要約】【課題】電極端子同士を接続する導電部材を直接的に冷却する冷却用流体流れを形成することにより、導電部材の冷却性能向上を図る電池パックを提供する。【解決手段】電池パック１は、隣り合う電極端子３０ａと電極端子３０ｂとを接続するバスバ５と、バスバ５を支持するバスバケース２と、バスバ５に接触させる空気が流通する流体通路７０を、バスバ５との間に形成するように設置されているカバー部材７と、を備える。さらに電池パック１は、カバー部材７からバスバ５に向けて突出しかつバスバ５から離間する突出部７１を備える。突出部７１の少なくとも一部は、バスバ５をカバー部材７に投影した投影図とバスバ５の外形とを結んでできる空間内Ｓ１に存在する。【選択図】図３
2018018754.tif 000002
【特許請求の範囲】
【請求項１】
セル積層方向（Ｔ１）に隣り合う電池セル（３０）において隣り合う電極端子（３０ａ）と電極端子（３０ｂ）とを接続する導電部材（５）と、
前記導電部材によって接続された複数の前記電池セルの集合体である電池スタック（３）と、
電気絶縁性を有した材料で形成されて前記導電部材を支持する支持部材（２）と、
前記導電部材に接触させる冷却用流体が流通する流体通路（７０）を、前記導電部材との間に形成するように設置されているカバー部材（７；１０７；２０７；３０７）と、
前記カバー部材から前記導電部材に向けて突出しかつ前記導電部材から離間する突出部であって、前記導電部材に対して垂直な方向に前記導電部材を前記カバー部材に投影した投影図と前記導電部材の外形とを結んでできる空間内（Ｓ１）に少なくとも一部が存在する突出部（７１；１７１；２７１；３７１；４７１；５７１；６７１；７７１；８７１）と、
を備える電池パック。
【請求項２】
前記突出部（７１；８７１，７１）は、前記空間内に存在する部分の体積が前記流体通路において上流側よりも下流側で大きくなるように設けられている請求項１に記載の電池パック。
【請求項３】
前記突出部（５７１，７１；６７１、７７１）は、前記空間内に存在する部分の体積が前記流体通路において上流側と下流側とで同等になるように設けられている請求項１に記載の電池パック。
【請求項４】
前記突出部（７１）は、前記流体通路において下流側にのみ設けられている請求項１に記載の電池パック。
【請求項５】
前記突出部（６７１，７７１）は柱状である請求項１、請求項３、請求項４のいずれか一項に記載の電池パック。
【請求項６】
前記突出部（７１）は、前記導電部材に対して前記セル積層方向の全体にわたるように設けられている請求項１から請求項５のいずれか一項に記載の電池パック。
【請求項７】
前記突出部（７１；４７１；５７１，７１）は、前記導電部材に対して前記冷却用流体の流れ方向の全体にわたるように設けられている請求項１から請求項５のいずれか一項に記載の電池パック。
【請求項８】
セル積層方向（Ｔ１）に隣り合う電池セル（３０）において隣り合う電極端子（３０ａ）と電極端子（３０ｂ）とを接続する導電部材（５）と、
前記導電部材によって接続された複数の前記電池セルの集合体である電池スタック（３）と、
電気絶縁性を有した材料で形成されて前記導電部材を支持する支持部材（２）と、
前記導電部材に接触させる冷却用流体が流通する流体通路（７０）を、前記導電部材との間に形成するように設けられているカバー部材（４０７）と、
前記電池セルの安全弁が設けられている部位と連通し前記流体通路に交差する排煙通路であって、前記電池セルとの間に前記流体通路の一部が介在するように設けられている排煙通路（１２５０）と、
前記カバー部材に設けられて前記排煙通路を形成するダクト部（４０７ｂ）と、
前記ダクト部から前記電池セルに向けて前記流体通路に突出する突出部（４０７ａ）と、
を備える電池パック。
【発明の詳細な説明】
【技術分野】
【０００１】
この明細書における開示は、導電部材によって電気的に接続された複数の電池を有する電池パックに関する。
【背景技術】
【０００２】
特許文献１に記載の組電池は、電池ケースの上面とバスバおよび絶縁部材との間に区画された通路に冷媒としての空気を流すことにより、冷却フィンに空気を接触させて放熱を促して電池を冷却している。バスバは、電池ケースの上面から離れた上方に設けられて、電池ケースの上面から突出する電極端子を電気的に接続している。バスバには、下方向および空気流れ方向に延びる形状である冷却フィンが複数枚一体に設けられている。冷却フィンの下端は、電池ケースの上面から離れた位置にある（特許文献１の図６参照）。
【先行技術文献】
【特許文献】
【０００３】
【特許文献１】特許第５１７６６８２号公報
【発明の概要】
【発明が解決しようとする課題】
【０００４】
特許文献１の組電池では、電池ケースの上面とバスバおよび絶縁部材との間の通路において、電池ケースの上面付近は冷却フィンが存在しないため、バスバ付近よりも通気抵抗が小さい。このため、当該通路においては、バスバ付近よりも、電池ケースの上面付近の方に空気が流れやすくなる。したがって、特許文献１の組電池の場合、発熱量が大きいバスバに直接的に接触する空気流れを形成することが難しいという問題がある。
【０００５】
このような課題に鑑み、この明細書における開示の目的は、電極端子同士を接続する導電部材を直接的に冷却する冷却用流体流れを形成することにより、導電部材の冷却性能向上を図る電池パックを提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示された電池パックのひとつは、セル積層方向（Ｔ１）に隣り合う電池セル（３０）において隣り合う電極端子（３０ａ）と電極端子（３０ｂ）とを接続する導電部材（５）と、導電部材によって接続された複数の電池セルの集合体である電池スタック（３）と、電気絶縁性を有した材料で形成されて導電部材を支持する支持部材（２）と、導電部材に接触させる冷却用流体が流通する流体通路（７０）を、導電部材との間に形成するように設置されているカバー部材（７；１０７；２０７；３０７）と、カバー部材から導電部材に向けて突出しかつ導電部材から離間する突出部であって、導電部材をカバー部材に投影した投影図と導電部材の外形とを結んでできる空間内（Ｓ１）に少なくとも一部が存在する突出部（７１；１７１；２７１；３７１；４７１；５７１；６７１；７７１；８７１）と、を備える。
【０００８】
この電池パックによれば、カバー部材から導電部材に向けて突出しかつ導電部材から離間する突出部の少なくとも一部が、導電部材に対して垂直な方向に導電部材をカバー部材に投影した投影図と導電部材の外形とを結んでできる空間内に存在する。突出部は、当該空間内において、導電部材から離れたカバー部材側に存在しているため、カバー部材側の流通抵抗が導電部材側の流通抵抗よりも大きくなる。これにより、流体通路において導電部材が存在する部位では、冷却用流体は導電部材側に流れやすくなり、冷却用流体を導電部材に接触させやすい流れを形成できる。したがって、電極端子同士を接続する導電部材を直接的に冷却する冷却用流体流れを形成することにより、導電部材の冷却性能向上を図る電池パックを提供できる。
【０００９】
開示された電池パックのひとつは、セル積層方向（Ｔ１）に隣り合う電池セル（３０）において隣り合う電極端子（３０ａ）と電極端子（３０ｂ）とを接続する導電部材（５）と、導電部材によって接続された複数の電池セルの集合体である電池スタック（３）と、電気絶縁性を有した材料で形成されて導電部材を支持する支持部材（２）と、導電部材に接触させる冷却用流体が流通する流体通路（７０）を、導電部材との間に形成するように設けられているカバー部材（４０７）と、電池セルの安全弁が設けられている部位と連通し流体通路に交差する排煙通路であって、電池セルとの間に流体通路の一部が介在するように設けられている排煙通路（１２５０）と、カバー部材に設けられて排煙通路を形成するダクト部（４０７ｂ）と、ダクト部から電池セルに向けて流体通路に突出する突出部（４０７ａ）と、を備える。
【００１０】
この電池パックによれば、ダクト部から電池セルに向けて突出する突出部が、排煙通路と交差する流体通路に存在する。この構成により、流体通路を流れる冷却用流体が排煙通路と交差する部位を流れる際に、突出部によって電池セル側に近づいたり、電池セル側に向きを変えたりして流れるようになる。したがって、冷却用流体をカバー部材側よりも導電部材に接触させやすい流れを形成できる。このようにして電極端子同士を接続する導電部材を直接的に冷却する冷却用流体流れを形成することにより、導電部材の冷却性能向上を図る電池パックを提供できる。
【図面の簡単な説明】
【００１１】
【図１】第１実施形態の電池パックの構成を示す部分斜視図である。
【図２】電池パックおよび送風装置を示す平面図である。
【図３】図２におけるIII-III断面を矢印方向にみた部分断面図である。
【図４】電池パックの流体通路に存在する突出部の構成を示す部分断面図である。
【図５】突出部とバスバについてセル積層方向の位置関係を説明する図である。
【図６】突出部の他の形態とバスバについてセル積層方向の位置関係を説明する図である。
【図７】突出部の他の形態とバスバについて流体流れ方向の位置関係を説明する図である。
【図８】突出部の他の形態とバスバについて流体流れ方向の位置関係を説明する図である。
【図９】突出部の他の形態とバスバについて流体流れ方向の位置関係を説明する図である。
【図１０】第２実施形態の電池パックの流体通路に存在する突出部の構成を示す部分断面図である。
【図１１】第３実施形態の電池パックの流体通路に存在する突出部の構成を示す部分断面図である。
【図１２】第４実施形態の電池パックの流体通路に存在する突出部の構成を示す部分断面図である。
【図１３】第５実施形態の電池パックの流体通路に存在する突出部の構成を示す部分断面の斜視図である。
【発明を実施するための形態】
【００１２】
以下に、図面を参照しながら本開示を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各形態で具体的に組み合わせが可能であることを明示している部分同士の組み合わせばかりではなく、特に組み合わせに支障が生じなければ、明示していなくても形態同士を部分的に組み合せることも可能である。
【００１３】
（第１実施形態）
第１実施形態の電池パック１について、図１〜図９を参照して説明する。各図において、Ｔ１は複数の電池セル３０のセル積層方向であり、Ｗ１はセル幅方向または冷却用流体の流れ方向であり、Ｈ１はセル高さ方向である。セル積層方向Ｔ１は、直方体状の電池セル３０のセル厚さ方向でもある。セル幅方向Ｗ１は、セル積層方向Ｔ１とセル高さ方向Ｈ１の両方に垂直な方向である。電池パック１では、セル高さ方向Ｈ１を鉛直方向に設定している。
【００１４】
電池パック１は、複数の電池セル３０を搭載する各種の電気機器に適用することができる。各種の電気機器は、例えば、蓄電池を有する装置、コンピュータ、車両等である。第１実施形態では、その一例として、電池パック１を、内燃機関と電池駆動のモータとを組み合わせて走行駆動源とするハイブリッド自動車、電池駆動のモータによって走行する電気自動車等の車両に用いる場合について説明する。
【００１５】
電池パック１は、少なくとも、電池ケース４と、電池ケース４の内部に収容された複数の電池セル３０と、バスバ５を支持する支持部材としてのバスバケース２と、バスバケース２または電池ケース４に装着可能なカバー部材７と、を備える。電池パック１は、セル積層方向Ｔ１に所定個数の電池セル３０が配置される構成の電池スタック３を複数個備える。各電池スタック３は、これを構成するすべての電池セル３０が直列に結線されることにより、通電可能に接続されている。図１および図２に示すように、電池スタック３と電池スタック３は、セル積層方向Ｔ１に並んで設置された状態で電気的に接続されている。隣り合う電池ケース４と電池ケース４は、一方の電池ケース４と他方の電池ケースとが爪部と孔部との係合によっても連結されて一固まりとなっている。爪部と孔部は、電池ケース４またはバスバケース２に設けられている。
【００１６】
複数個の電池スタック３の両端部には、電池パック１としての総正極側端子、総負極側端子をそれぞれ内蔵するコネクタ１１が設置されている。電池セル３０は、例えばニッケル水素二次電池、リチウムイオン電池、有機ラジカル電池であり、筐体内に収納された状態で自動車の座席下、後部座席とトランクルームとの間の空間、運転席と助手席の間の空間などに配置されている。
【００１７】
電池パック１を構成する複数の電池セル３０は、単電池でもあり、例えばアルミ缶等の外殻を構成する外装ケースを有し、直方体状の外装ケースの一端面から上方に突出する、正極端子である電極端子３０ａと負極端子である電極端子３０ｂとを有する。電池パック１は、すべての電池セル３０を直列に結線するように電極端子３０ａと電極端子３０ｂとを接続する所定個数のバスバ５を備える。バスバ５は、導電性を有する材料で構成されている導電部材の一例である。バスバ５は、プレス加工により、２つの平板状部５０、２つの平板状部５０を連結するベント部、伝熱面積を増大するフィン部５１等を有する形状となるように製造することができる。以下、電極端子３０ａと電極端子３０ｂとを総称して電極端子と記載することがある。
【００１８】
各電池セル３０における外装ケースには、安全弁が設けられている。各安全弁は、電極端子３０ａと電極端子３０ｂの間に位置し、電池セル３０の内部圧力が異常な圧力になるときに破断するように設定されている。安全弁は、例えば、電池セル３０の外装ケースの端面に開口した孔に薄い金属膜を貼り付けて塞いで構成されている。この場合には、電池セル３０の内部圧力が異常な圧力になったときに、当該金属膜が破断して外装ケースの孔が開放されて、電池セル３０の内部のガスが外装ケースの外部に放出されることにより、セル内圧が低下し、電池自身の破裂を防止することができる。
【００１９】
電池ケース４は、その内部に各電池セル３０の全体を収容可能な深い箱状の部材である。電池ケース４は、それぞれ電池セル３０を収容する収容室を、収容する電池セル３０と同数個備える。複数個の収容室は、セル積層方向Ｔ１に並ぶように設けられている。セル積層方向Ｔ１に隣接する収容室は、仕切り壁によって仕切られている。電池ケース４は、所定間隔に設けられた仕切り壁によって電池セル３０の外装ケースを支持して各電池セル３０を保持する。電池ケース４は、例えばポリプロピレン、フィラーやタルクを含有するポリプロピレン等の合成樹脂で形成されている。電池ケース４は、底部と、底部から立設する４辺を囲む４つの側板部とを有して形成されている。側板部には、所定の位置に、電池パック１をボルトナット等の固定具によって車両側に固定する複数の取付部が設けられている。
【００２０】
電池ケース４は、一端である上端に４つの側板部によって囲まれた開口部を有している。各電池セル３０は電極端子３０ａおよび電極端子３０ｂが突出する端面とは反対側に位置する端面を先頭にして上端の開口部から電池ケース４内に挿入されて、仕切り壁と仕切り壁の間の所定の位置に設置される。一対の側板部は、電池セル３０のセル幅方向Ｗ１の両側に位置している。他の一対の側板部は、層状に設置された複数の電池セル３０のセル積層方向Ｔ１、すなわち厚さ方向の両端に位置している。
【００２１】
電池ケース４の上端の開口部には、所定の位置にバスバを収容するバスバケース２を、開口部を覆うように設置することができる。この開口部には、各収容室に設置された電池セル３０の電極端子３０ａおよび電極端子３０ｂが露出するように配置されている。バスバケース２は、電気絶縁性を有した材料によって形成されて、バスバ５と電池セル３０の外装ケースとを絶縁する。バスバケース２は、例えば安全弁および各電極端子を除く外装ケースの上面部分を覆うように設けられる。
【００２２】
バスバケース２は、安全弁から噴出したガスを所定の箇所に誘導するための排煙通路２５０を形成するダクト部２５を有している。ダクト部２５は、各電池セル３０の安全弁が設けられている部位と内部の排煙通路２５０とが連通し、排煙通路２５０がシール構造によって外部と遮断されるように各電池セル３０の上面との間に押さえる。ダクト部２５と電池セル３０の上面との間には、ゴムなどのシール部材を配置するようにしてもよい。例えば、ダクト部２５において電池セル３０の上面を押さえる部分には、エラストマ等の軟性の高い樹脂を二色食成形等により設けるようにしてもよい。ダクト部２５は、セル積層方向Ｔ１に沿うように延びている。ダクト部２５は、耐熱性を有し、電池セル３０の内部が異常な高圧状態になって、内部のガスが安全弁の破断によって噴き出しても、排煙通路２５０を形成する部分が溶けないで破損しない耐熱能力を有する。バスバケース２は、電気絶縁性を有する材料、例えばポリプロピレン、フィラーやタルクを含有するポリプロピレン等の合成樹脂で形成されている。
【００２３】
バスバケース２は、ダクト部２５に対してセル幅方向Ｗ１の両側のそれぞれに、セル積層方向Ｔ１に隣り合う電池セル３０と電池セル３０とを電気的に接続するバスバ５を収容している。電池セル３０の上面は、バスバケース２に接触することにより、電池ケース４に対する電極端子のセル高さ方向Ｈ１の位置が規定されることになる。
【００２４】
バスバ５は、隣接する電池セル３０に関して異極電極である電極端子同士を電気的に接続する。バスバ５と電極端子３０ａや電極端子３０ｂとの電気的な接続は、例えば、超音波溶接、レーザー溶接、アーク溶接等の接続手段によって提供される。バスバ５と電池セル３０は、平板状部５０と電極端子３０ａまたは電極端子３０ｂとの接合によって電気的に接続されている。
【００２５】
図１に図示するように、電池スタック３については、電池ケース４内の電池集合体の一方端に位置する電池セル３０の正極端子である電極端子３０ａは、一つの平板状部５０を有するバスバに接続されている。このバスバの端部は、電池パック１全体の総端子部としてコネクタ１１に内蔵されている総正極側端子に電気的に接続されており、外部の電源供給部に電気的に接続されている。
【００２６】
一方端に位置する電池セル３０の電極端子３０ｂは、隣接する電池セル３０の電極端子３０ａにバスバ５によって結線されている。さらにセル積層方向Ｔ１に積層設置される各電池セル３０は、バスバ５によって順に直列結線されている。電池スタック３の他方端に位置する電池セル３０の負極端子である電極端子３０ｂは、一つの平板状部５０を有するバスバに接続されている。このバスバの端部は、隣接する電池スタック３に電気的に接続されている。そして、他方端に位置する電池スタック３において、電池スタック３の他方端に位置する電池セル３０の負極端子である電極端子３０ｂは、一つの平板状部５０を有するバスバに接続されている。このバスバの端部は、電池パック１全体の総端子部としてコネクタ１１に内蔵されている総負極側端子に電気的に接続されており、外部の電源供給部に電気的に接続されている。このように、電池パック１全体の総端子部として両端に配されたバスバとバスバは、電力の供給および放出を行うために、例えば、リレー等を用いた電流の制御回路に接続されている。
【００２７】
電極端子３０ａと電極端子３０ｂとをバスバ５によって接続する工程を実施する場合には、まず、各電池セル３０を、電極端子が設けられている端面とは反対側の端面を先頭にした姿勢で、電池ケース４の上端開口部から各収容室に適正に収容して保持する。次に、電池ケース４と複数の電池セル３０とを一体にした組み立て品に対してバスバケース２を組み付け、電池ケース４の組付部４２を貫通した穴部とバスバケース２の組付部２２を貫通した穴部とにボルト１０を挿通し、ナットで締め付ける。電池ケース４とバスバケース２との組み立て品に対して、バスバケース２のベース部２０に形成された開口部から露出する電極端子に対応するバスバ５を所定位置に設置する。これにより、バスバ５は、平板状部５０と電極端子とが接触する状態でバスバケース２によって支持されている。この状態で、各バスバ５について、平板状部５０と電極端子とが接触している接触部に前述の溶接を行い、バスバ５と電極端子とを電気的に接合する。
【００２８】
電池パック１は、所定の電池セル３０と所定の電池セル３０との間または、各電池セル３０における電圧信号を送信するために配線される所定個数の電圧検出線６を備える。電圧検出線６は、電池情報に関係する電気信号を検出するためにバスバ５に対して接続されている検出用部材の一例である。電圧検出線６は、電池パック１に関わる各種の電池情報を検出するための電気信号検出用の線であり、バスバ５の所定の部位と電池監視ユニット等の制御装置とを接続する。電圧検出線６等の検出用部材は、バスバ５に接続されている一端からコネクタ端子に接続されている他端にかけて、バスバケース２の内部に内蔵されている形態でもよい。例えば、検出用部材は、バスバケース２に外表面に沿うように配線される形態であってもよい。
【００２９】
電圧検出線６は、一端が接続されているバスバ５との接続部から延びて、電池側コネクタ１３に内蔵されるコネクタ端子に他端が接続されている。電圧検出線６は、バスバ５との接続部から電池側コネクタ１３のコネクタ端子まで延びる通信線である。電圧検出線６の他端と出力用コネクタ端子とは、例えば、かしめ加工または前述した溶接によって結合されている。電池側コネクタ１３は、制御装置に接続されている入力用信号線の一端部である入力用コネクタ端子を内蔵する制御装置側のコネクタに接続されている。電圧検出線６は、電池スタック３において所定の電位差を電気信号として検出し、出力用コネクタ端子が入力用コネクタ端子に導通可能に接続されることで、電池管理ユニット等を構成する制御装置に出力する。
【００３０】
電池管理ユニット（Battery Management Unit）は、少なくとも電池スタック３の蓄電量を管理する機器であり、電池パック１に係る制御を行う電池制御ユニットの一例である。また、電池管理ユニットは、電池スタック３に関する電流、電圧、温度を監視するとともに、電池スタック３の異常、漏電異常等を管理する機器であってもよい。電池管理ユニットは、車両に搭載された各種の電子制御装置と通信可能に構成されている。電池管理ユニットには、電流センサによって検出された電流値に係る信号が入力されてもよいし、メインリレーやプリチャージリレーの作動を制御する制御装置であってもよい。電池管理ユニットは、電池スタック３等の発熱体を冷却するための送風装置のモータの作動を制御する機器として機能することができる。
【００３１】
電池セル３０は、例えば、放電して電流が取り出される出力時および充電される入力時に自己発熱する。電池管理ユニットは、電池セル３０の温度を常時モニターし、電池セル３０の温度に基づいて送風装置の運転を制御する。例えば、電池管理ユニットは、送風装置８のモータに、最大電圧に対して０％〜１００％に含まれる任意の値のデューティ比に制御した電圧を印加して、各ファンの回転数を可変させることができる。電池パック１では、このデューティ制御によってファンの回転数を変化させることにより、送風装置８による風量を多段階または無段階的に調節することができる。
【００３２】
電圧検出線６は、バスバ５との接続部から引き出され、セル積層方向Ｔ１に隣り合うバスバ５とバスバ５との間を、セル幅方向Ｗ１に延びるように配線されている。バスバケース２のベース部２０は、セル積層方向Ｔ１に隣り合うバスバ５とバスバ５との間に相当する箇所に、セル幅方向Ｗ１に延びるバスバ間壁部を備えている。この構成によれば、バスバ間壁部は、隣り合うバスバ５とバスバ５とを絶縁する機能を提供できる。
【００３３】
バスバ間壁部は、隣接するバスバ５から延びる電圧検出線６を収容して、電池側コネクタ１３に向けて案内するように構成してもよい。図１、図３および図４に示すように、ダクト部２５は、バスバケース２において、セル幅方向Ｗ１に関して中央部に位置し、さらにセル積層方向Ｔ１の長さ全体にわたる排煙通路２５０を有している。排煙通路２５０は、流体通路７０の中央部で流体通路７０に対して交差する。バスバ間壁部は、セル幅方向Ｗ１に関してダクト部２５の両側にそれぞれ、複数個ずつ、所定間隔をあけて設けられている。この所定間隔のスペースには、バスバ５が収容されている。
【００３４】
電池パック１は、電池セル３０を冷却するための冷却用流体が流通する流体通路７０を備える。カバー部材７は、バスバ５に接触させる冷却用流体が流通する流体通路７０を、バスバ５との間に形成するように設置されている。カバー部材７は、電気絶縁性を有する材料、例えばポリプロピレン、フィラーやタルクを含有するポリプロピレン等の合成樹脂で形成されている。流体通路７０は、冷却用流体がバスバ５の表面上を流れるように形成された通路である。流体通路７０は、バスバケース２の枠壁部を貫通して形成された開口部を通路入口部１２とする。電池パック１は、電池セル３０を冷却するための冷却用流体が流通する流体通路１７０を備える。流体通路１７０は、冷却用流体が電池セル３０における外装ケースの表面上を流れるように形成された通路である。流体通路１７０は、電池ケース４の側壁部を貫通して形成された開口部を通路入口部１４とする。
【００３５】
送風装置８は、流体通路７０、流体通路１７０に強制的な冷却用流体の流れを形成する流体駆動装置の一例である。送風装置８の吸込み部８０は、連結ダクト１５によって、流体通路７０の通路出口部および流体通路１７０の通路出口部に連結されている。冷却用流体としては、例えば、空気、各種のガス、水、冷媒を用いることができる。
【００３６】
冷却用流体は、送風装置８の吸引力によって通路入口部１２から流体通路７０に流入し、通路入口部１２に近い側に並ぶバスバ５の表面上に沿って流れる。そして、ダクト部２５を乗り越えた後、通路入口部１２から遠い側に並ぶバスバ５の表面上に沿って流れ、電池パック１の外部に流出する。また、冷却用流体は、送風装置８の吸引力によって通路入口部１４から流体通路１７０に流入し、電池セル３０の外装ケースの表面上に沿って流れ、電池パック１の外部に流出する。電池パック１の外部に流出した冷却用流体は、連結ダクト１５内の通路を介して吸込み部８０から送風装置８に吸い込まれ、吹出し部８１から外部に流出する。このように冷却用流体をバスバ５の表面や電池セル３０の外装ケースの表面に接触するように強制的に流すことにより、電池セル３０を冷却する性能を高めることができる。
【００３７】
電池パック１は、カバー部材７からバスバ５に向けて突出しかつ先端がバスバ５から離間する突出部７１を備えている。突出部７１は、カバー部材７と同じ材質で構成されるカバー部材７の一部であってもよいし、カバー部材７に組み付けられた別部品であってもよい。図３および図４に示すように、突出部７１は流体通路７０に存在するため、突出部７１が存在する部位は突出部７１が存在しない部位よりも通路断面積が小さくなっている。したがって、突出部７１は流体通路７０を流れる流体の障害壁として機能し、突出部７１に衝突する方向に進む流体は突出部７１を避けて突出部７１の周囲を流れるようになる。
【００３８】
図２に図示するように、カバー部材７は、バスバ５が設置されている電池スタック３の面全体を覆う形状である。図４に図示するように、カバー部材７は、通路入口部１２に近い側のバスバ５に対向する上流側屋根部７ａと、通路入口部１２から遠い側のバスバ５に対向する下流側屋根部７ｃと、上流側屋根部７ａと下流側屋根部７ｃとをつなぐ中間屋根部７ｂと、を有して形成されている。
【００３９】
上流側屋根部７ａは、電池スタック３のバスバ設置面との間に、流体通路７０の上流側に相当する扁平直方体状の通路を形成する平板状部である。下流側屋根部７ｃは、電池スタック３のバスバ設置面との間に、流体通路７０の下流側に相当する扁平直方体状の通路を形成する平板状部である。中間屋根部７ｂは、セル積層方向Ｔ１に延びる半筒状であり、半筒状の側面の端部において上流側屋根部７ａおよび下流側屋根部７ｃのそれぞれに一体に繋がっている。中間屋根部７ｂは、ダクト部２５との間に、流体通路７０の一部が断面半ドーナツ状で電池スタック３のセル積層方向長さ全体に延びるように、ダクト部２５の外表面を覆っている。つまり、流体通路７０は、上流側屋根部７ａの内側でバスバ設置面に沿うように延びた後、中間屋根部７ｂの内側で電池スタック３から離れるように立ち上がり電池スタック３に近づくようにＵターンし下流側屋根部７ｃの内側でバスバ設置面に沿うように延びる。
【００４０】
図４に図示するように、突出部７１は下流側屋根部７ｃの内面からバスバ５に向けて突出している。突出部７１は、流体通路７０において下流側にのみ設けられ、上流側には設けられていない。さらに突出部７１は、流体通路７０の中央部で交差する排煙通路２５０よりも下流側に位置するバスバ５に対して流体流れ方向の全体にわたって対向するように設けられている。
【００４１】
突出部７１は、バスバ５をカバー部材７に投影した投影図とバスバ５の外形とを結んでできる空間内Ｓ１に少なくとも一部が存在するように設けられている。投影図は、バスバ５を、バスバ５に対して垂直な方向にカバー部材７の投影面に投影したときにカバー部材７の投影面にできる図形である。投影面にできる図形は、バスバ５をバスバ５に対して垂直な方向に見る視点とバスバ５上の任意の点とを直線で結んだ場合に、この直線である投影線とカバー部材７の投影面との交点を結んでいくことで投影面上に形成される平面投影図である。バスバ５に対して垂直な方向とは、バスバ５と電極端子との接触部を有するバスバの表面に対して垂直な方向として定義することができる。
【００４２】
図５に示すように、突出部７１は、セル積層方向長さがバスバ５よりも大きくなるように構成されている。突出部７１は、セル積層方向Ｔ１についてバスバ５の全体を覆う位置に設けられている。突出部７１は、空間内Ｓ１のセル積層方向長さ全体に存在し、さらにセル積層方向Ｔ１について空間内Ｓ１からはみ出す長さを有している。突出部７１は、このようなバスバ５との位置関係を維持して、図４のように流体流れ方向にもバスバ５の流体流れ方向長さ全体にわたるように設けられている。この構成により、突出部７１によって流れの向きをバスバ５側に変更する冷却用流体を、バスバ５のセル積層方向長さ全体に近づくように流すことができる。
【００４３】
突出部７１とバスバ５とのセル積層方向Ｔ１の位置関係は、図６に示すような形態でもよい。図６に示すように、カバー部材７からバスバ５に向けて突出する突出部１７１は、セル積層方向Ｔ１についてバスバ５の一部分を覆う位置に設けられている。突出部１７１は、空間内Ｓ１のセル積層方向長さの一部に存在し、セル積層方向Ｔ１について空間内Ｓ１よりも短い長さを有している。突出部１７１は、その全体が空間内Ｓ１に含まれるように設けられている。突出部１７１は、このようなバスバ５との位置関係を維持して、図４のように流体流れ方向にもバスバ５の流体流れ方向長さ全体にわたるように設けられている。この構成により、冷却用流体のうち、突出部１７１によって流れの向きをバスバ５側に変更する流体はバスバ５のセル積層方向長さの一部に近づくように流れ、突出部１７１によってセル積層方向Ｔ１に向きを変更する流体は流体通路７０における乱流を促進する。
【００４４】
突出部７１とバスバ５との流体流れ方向の位置関係は、図７〜図９の各図に示すような形態でもよい。図７に示すように、カバー部材７からバスバ５に向けて突出する突出部２７１は、流体流れ方向についてバスバ５の一部分を覆うように設けられている。突出部２７１は、空間内Ｓ１の流体流れ方向長さの一部に存在し、流体流れ方向について空間内Ｓ１よりも短い長さを有している。突出部２７１は、その全体が空間内Ｓ１に含まれるように設けられている。突出部２７１が流体流れ方向についてバスバ５の一部分を覆う位置は、バスバ５の上流側、下流側、中間部のいずれかあり、バスバ５において最も温度が高くなる部位または当該部位よりも上流側であることが好ましい。冷却用流体のうち、突出部２７１によって流れの向きをバスバ５側に変更する流体を効率的に当該部位に接触させることができるからである。
【００４５】
図８に示すように、カバー部材７からバスバ５に向けて突出する突出部３７１は、流体流れ方向についてバスバ５の一部分を覆うように設けられている。突出部３７１は、空間内Ｓ１の流体流れ方向長さの一部に存在し、流体流れ方向について空間内Ｓ１よりも短い長さを有している。突出部３７１は、その一部が空間内Ｓ１に含まれ、さらにセル積層方向Ｔ１について空間内Ｓ１からはみ出す長さを有している。突出部３７１が流体流れ方向についてバスバ５の一部分を覆う位置は、バスバ５において最も温度が高くなる部位または当該部位よりも上流側であることが好ましい。冷却用流体のうち、突出部３７１によって流れの向きをバスバ５側に変更する流体を効率的に当該部位に接触させることができるからである。
【００４６】
図９に示すように、カバー部材７からバスバ５に向けて突出する突出部４７１は、流体流れ方向についてバスバ５の全体を覆う位置に設けられている。突出部４７１は、空間内Ｓ１の流体流れ方向長さ全体に存在し、さらに流体流れ方向について空間内Ｓ１からはみ出す長さを有している。この構成により、突出部４７１によって流れの向きをバスバ５側に変更する冷却用流体を、バスバ５の流体流れ方向長さ全体にわたって近づくように流すことができる。
【００４７】
次に、第１実施形態の電池パック１によって得られる効果について説明する。電池パック１は、隣接する電池セル３０において隣り合う電極端子３０ａと電極端子３０ｂとを接続するバスバ５と、バスバ５によって接続された複数の電池セル３０の集合体である電池スタック３と、バスバ５を支持するバスバケース２と、を備える。電池パック１は、さらに、バスバ５に接触させる冷却用流体が流通する流体通路７０を、バスバ５との間に形成するように設置されているカバー部材７と、カバー部材７からバスバ５に向けて突出しかつバスバ５から離間する突出部７１と、を備える。突出部７１は、バスバ５をカバー部材７に投影した投影図とバスバ５の外形とを結んでできる空間内Ｓ１に少なくとも一部が存在する。
【００４８】
この電池パック１によれば、カバー部材７からバスバ５に向けて突出する突出部７１の少なくとも一部が、バスバ５をカバー部材７に投影した投影図とバスバ５の外形とを結んでできる空間内Ｓ１に存在する。換言すれば、突出部７１は、少なくとも一部がバスバ５と対向するように設けられている。突出部７１は、空間内Ｓ１において、バスバ５から離間したカバー部材７側に存在しているため、バスバ５の表面付近は突出部７１が存在していない。このため、カバー部材７付近を流れる流体の流通抵抗はバスバ５付近を流れる流体の流通抵抗よりも大きくなる。これにより、流体通路７０においてバスバ５が存在する部位では、冷却用流体はバスバ５側に流れやすくなり、冷却用流体をバスバ５に接触させやすい流れを形成できる。したがって、電池パック１は、電極端子同士を接続するバスバ５を直接的に冷却する冷却用流体流れを形成することにより、バスバ５の冷却性能向上を図ることができる。
【００４９】
電池パック１は、空間内Ｓ１に存在する部分の体積が流体通路７０において上流側よりも下流側で大きくなる突出部を有している。この構成によれば、流体通路７０においてバスバ５が存在する部位の流路断面積が、上流側よりも下流側で小さくなる。これにより、下流側の方が上流側よりも流速を大きくできるため、バスバ５と冷却用流体との熱交換性能を下流側で向上させることができる。また、上流側よりも下流側で、バスバ５に近づく流体流れを促進することができるので、下流側においてバスバ５の放熱を高めることができる。このように下流側での熱交換性能を高めることにより、上流側よりも下流側で冷却性能が低下しがちな電池パックの電池冷却性能を改善することができる。
【００５０】
突出部７１は、流体通路７０において下流側にのみ設けられている。この構成によれば、上流側に対して下流側において、バスバ５と冷却用流体との熱交換性能の向上とバスバ５に近づく流体流れとを実現できるので、低下しがちな下流側の電池冷却性能を改善することができる。
【００５１】
突出部７１は、バスバ５に対してセル積層方向Ｔ１の全体にわたるように設けられている。この構成によれば、バスバ５のセル積層方向長さ全体にわたってバスバ５に近づく流体流れを形成することができるので、セル積層方向長さ全体にわたってバスバ５からの放熱を促進することができる。したがって、バスバ５の冷却性能向上を図る電池パック１を提供できる。
【００５２】
突出部７１は、バスバ５に対して冷却用流体の流れ方向の全体にわたるように設けられている。この構成によれば、バスバ５の流体流れ方向長さ全体にわたってバスバ５に近づく流体流れを形成することができるので、流体流れ方向長さ全体にわたってバスバ５からの放熱を促進することができる。したがって、バスバ５の冷却性能向上を図る電池パック１を提供できる。
【００５３】
（第２実施形態）
第２実施形態では、第１実施形態の電池パック１の他の形態である、流体通路７０に存在する突出部５７１について図１０を参照して説明する。図１０において、第１実施形態の図面中と同一符号を付した構成要素は、同様の構成要素であり、同様の作用効果を奏するものである。以下、第１実施形態と相違する内容について説明する。
【００５４】
第２実施形態は、第１実施形態に対して、流体通路７０の上流側に存在する突出部５７１を備える点が相違する。電池パック１は、突出部７１に加えて、カバー部材１０７からバスバ５に向けて突出しかつ先端がバスバ５から離間する突出部５７１を備えている。突出部５７１は、カバー部材１０７と同じ材質で構成されるカバー部材１０７の一部であってもよいし、カバー部材１０７に組み付けられた別部品であってもよい。図１０に示すように、突出部５７１は流体通路７０の上流側に存在するため、突出部５７１が存在する部位は突出部５７１が存在しない部位よりも通路断面積が小さくなっている。したがって、突出部５７１は、突出部７１と同様に流体通路７０を流れる流体の障害壁として機能し、突出部５７１に衝突する方向に進む流体は突出部５７１を避けて突出部５７１の周囲を流れるようになる。
【００５５】
図１０に図示するように、突出部５７１は上流側屋根部７ａの内面からバスバ５に向けて突出している。突出部５７１は、流体通路７０の中央部で交差する排煙通路２５０よりも上流側に位置するバスバ５に対して流体流れ方向の全体にわたって対向するように設けられている。突出部５７１は、突出部７１と同様に、バスバ５をカバー部材１０７に投影した投影図とバスバ５の外形とを結んでできる空間内Ｓ１に少なくとも一部が存在するように設けられている。投影図は、バスバ５を、バスバ５に対して垂直な方向にカバー部材１０７の投影面に投影したときにカバー部材１０７の投影面にできる図形である。この空間内Ｓ１は、第１実施形態における空間内Ｓ１と同様である。
【００５６】
第２実施形態によれば、電池パック１は、空間内Ｓ１に存在する部分の体積が流体通路７０において上流側と下流側とで同等である突出部７１と突出部５７１とを備えている。この電池パック１によれば、流体通路７０において、上流側の流路断面積と下流側の流路断面積とが同等になるように構成できる。これにより、上流側と下流側とで流速が大きく変化しないような流体流れを形成できる。したがって、各突出部によってバスバ５に近づく流体流れを形成して、冷却性能を向上できるとともに、上流側におけるバスバ５との熱交換性能と下流側におけるバスバ５との熱交換性能とに大きな差がない電池パック１を提供できる。
【００５７】
第２実施形態によれば、電池パック１は、流体流れ方向に並ぶすべてのバスバ５に対して対向する位置にある突出部を備える。この電池パック１によれば、冷却用流体は、流体通路７０において流体流れ方向に並ぶすべてのバスバ５側に流れやすくなり、冷却用流体を流体流れ方向に並ぶすべてのバスバ５に接触させやすい流れを形成できる。したがって、電池パック１は、流体流れ方向に並ぶすべてのバスバ５を直接的に冷却する冷却用流体流れを形成することにより、バスバ５の冷却性能向上を図ることができる。
【００５８】
（第３実施形態）
第３実施形態では、第１実施形態の電池パック１の他の形態である、流体通路７０に存在する突出部６７１および突出部７７１について図１１を参照して説明する。図１１において、第１実施形態の図面中と同一符号を付した構成要素は、同様の構成要素であり、同様の作用効果を奏するものである。以下、第１実施形態と相違する内容について説明する。
【００５９】
第３実施形態は、第１実施形態に対して、流体通路７０に存在する突出部の構成が相違する。第３実施形態の電池パック１は、流体通路７０の上流側に突出する突出部６７１と、流体通路７０の下流側に突出する突出部７７１と、を備える。突出部６７１は、カバー部材２０７の上流側屋根部７ａからバスバ５に向けて突出する柱状であり、かつ先端がバスバ５から離間している。突出部７７１は、カバー部材２０７の下流側屋根部７ｃからバスバ５に向けて突出する柱状であり、かつ先端がバスバ５から離間している。突出部６７１や突出部７７１は、カバー部材２０７と同じ材質で構成されるカバー部材２０７の一部であってもよいし、カバー部材２０７に組み付けられた別部品であってもよい。
【００６０】
図１１に示すように、突出部６７１は流体通路７０の上流側に存在するため、突出部６７１が存在する部位は突出部６７１が存在しない部位よりも通路断面積が小さくなっている。したがって、突出部６７１は、流体通路７０を流れる流体の障害壁として機能し、突出部６７１に衝突する方向に進む流体は突出部６７１を避けて突出部６７１の周囲を流れるようになる。さらに突出部６７１は柱状であるので、突出部６７１周りの流体流れが形成されることで、流体通路７０の上流側において局所的に乱流を起こすことができる。
【００６１】
図１１に図示するように、突出部６７１は、バスバ５をカバー部材２０７に投影した投影図とバスバ５の外形とを結んでできる空間内Ｓ１に全部が存在するように設けられている。投影図は、バスバ５を、バスバ５に対して垂直な方向にカバー部材２０７の投影面に投影したときにカバー部材２０７の投影面にできる図形である。この空間内Ｓ１は、第１実施形態における空間内Ｓ１と同様である。
【００６２】
図１１に示すように、突出部７７１は流体通路７０の下流側に存在するため、突出部７７１が存在する部位は突出部７７１が存在しない部位よりも通路断面積が小さくなっている。したがって、突出部７７１は、流体通路７０を流れる流体の障害壁として機能し、突出部７７１に衝突する方向に進む流体は突出部７７１を避けて突出部７７１の周囲を流れるようになる。突出部７７１は、バスバ５をカバー部材２０７に投影した投影図とバスバ５の外形とを結んでできる空間内Ｓ１に全部が存在するように設けられている。さらに突出部７７１は柱状であるので、突出部７７１周りの流体流れが形成されることで、流体通路７０の下流側において局所的に乱流を起こすことができる。
【００６３】
第３実施形態によれば、電池パック１は、空間内Ｓ１に存在する部分の体積が流体通路７０において上流側と下流側とで同等である突出部６７１と突出部７７１とを備えている。この電池パック１によれば、流体通路７０において、上流側の流路断面積と下流側の流路断面積とが同等になるように構成できるので、上流側と下流側とで流速が大きく変化しないような流体流れを形成できる。したがって、上流側におけるバスバ５との熱交換性能と下流側におけるバスバ５との熱交換性能とに大きな差がない電池パック１を提供できる。
【００６４】
（第４実施形態）
第４実施形態では、第１実施形態の電池パック１の他の形態である、流体通路７０に存在する突出部８７１および突出部７１について図１２を参照して説明する。図１２において、第１実施形態の図面中と同一符号を付した構成要素は、同様の構成要素であり、同様の作用効果を奏するものである。以下、第１実施形態と相違する内容について説明する。
【００６５】
第４実施形態は、第１実施形態に対して、流体通路７０の上流側に存在する突出部８７１を備える点が相違する。電池パック１は、突出部７１に加えて、カバー部材３０７からバスバ５に向けて突出しかつ先端がバスバ５から離間する突出部８７１を備えている。突出部８７１は、突出部７１よりも体積が小さくなるように構成されている。突出部８７１は、カバー部材３０７と同じ材質で構成されるカバー部材３０７の一部であってもよいし、カバー部材３０７に組み付けられた別部品であってもよい。図１２に示すように、突出部８７１は流体通路７０の上流側に存在するため、突出部８７１が存在する部位は突出部８７１が存在しない部位よりも通路断面積が小さくなっている。したがって、突出部８７１は、突出部７１と同様に流体通路７０を流れる流体の障害壁として機能し、突出部８７１に衝突する方向に進む流体は突出部８７１を避けて突出部８７１の周囲を流れるようになる。
【００６６】
図１２に図示するように、突出部８７１は上流側屋根部７ａの内面からバスバ５に向けて突出している。突出部８７１は、流体通路７０の中央部で交差する排煙通路２５０よりも上流側に位置するバスバ５に対して、対向するように設けられている。突出部８７１は、突出部７１と同様に、バスバ５をカバー部材３０７に投影した投影図とバスバ５の外形とを結んでできる空間内Ｓ１に少なくとも一部が存在するように設けられている。投影図は、バスバ５を、バスバ５に対して垂直な方向にカバー部材３０７の投影面に投影したときにカバー部材３０７の投影面にできる図形である。
【００６７】
第４実施形態によれば、電池パック１は、空間内Ｓ１に存在する部分の体積が流体通路７０において上流側よりも下流側で大きくなる突出部を有している。この構成によれば、下流側の突出部７１は上流側の突出部８７１よりも体積が大きいため、流体通路７０においてバスバ５が存在する部位の流路断面積が、上流側よりも下流側で小さくなる。これにより、下流側の方が上流側よりも広範囲で流速を大きくできるため、バスバ５と冷却用流体との熱交換性能を下流側で向上させることができる。また、上流側よりも下流側において広範囲で、バスバ５に近づく流体流れを促進することができるので、下流側においてバスバ５の放熱を高めることができる。このように第４実施形態によれば、下流側での熱交換性能を高めることにより、上流側よりも下流側で冷却性能が低下しがちな電池パックの電池冷却性能を改善することができる。
【００６８】
（第５実施形態）
第５実施形態では、第１実施形態の電池パック１の他の形態である、流体通路７０に存在する突出部４０７ａについて図１３を参照して説明する。図１３において、第１実施形態の図面中と同一符号を付した構成要素は、同様の構成要素であり、同様の作用効果を奏するものである。以下、第１実施形態と相違する内容について説明する。
【００６９】
第５実施形態の電池パック２０１は、第１実施形態に対して、突出部４０７ａ、流体通路７０および排煙通路１２５０の構成が相違する。カバー部材４０７は、バスバ５に接触させる冷却用流体が流通する流体通路７０を、バスバ５との間に形成するように設置されている。カバー部材４０７は、電気絶縁性を有する材料、例えばポリプロピレン、フィラーやタルクを含有するポリプロピレン等の合成樹脂で形成されている。
【００７０】
流体通路７０は、上流側屋根部７ａと上流側のバスバ５との間の上流側通路と、下流側屋根部７ｃと下流側のバスバ５との間の下流側通路と、上流側通路と下流側通路とを連絡する中間連絡通路と、を合わせて構成されている。中間連絡通路は、図１３に図示するように、連通用ダクト部２１０の周囲に設けられた、上流側通路から下流側通路へ移行する通路であり、上流側通路から下流側通路へ連通用ダクト部２１０の外側を回り込むように設けられている。流体通路７０は、上流側屋根部７ａの内側でバスバ設置面に沿うように延びた後、連通用ダクト部２１０の周囲を回り込むように進み、さらに下流側屋根部７ｃの内側でバスバ設置面に沿うように延びる通路である。
【００７１】
連通用ダクト部２１０は、排煙通路１２５０と各電池セル３０の安全弁が設けられている部位とを連通させる通路を内部に形成する。したがって、安全弁から噴出したガスは、連通用ダクト部２１０内の通路を通じて排煙通路１２５０に流出し、ダクト部４０７ｂから外部に排出されることになる。
【００７２】
カバー部材４０７は、上流側屋根部７ａと、下流側屋根部７ｃと、上流側屋根部７ａと下流側屋根部７ｃとをつなぐダクト部４０７ｂと、を有して構成されている。ダクト部４０７ｂは、セル積層方向Ｔ１に延びる半筒状であり、半筒状の側壁端部において上流側屋根部７ａおよび下流側屋根部７ｃのそれぞれに一体に繋がっている。ダクト部４０７ｂは、内部に排煙通路１２５０を形成する。排煙通路１２５０は、電池セル３０の安全弁が設けられている部位と連通しており、流体通路７０に交差する。排煙通路１２５０は、電池セル３０との間に流体通路７０の一部が介在するように設けられている。
【００７３】
電池パック２０１は、カバー部材４０７から電池セル３０に向けて突出しかつ先端が電池セル３０から離間する突出部４０７ａを備えている。突出部４０７ａは、流体通路７０における、上流側通路から中間連絡通路へ移行する部位である上流側と、中間連絡通路から下流側通路へ移行する部位である下流側と、のそれぞれにおいて突出するように設けられている。したがって、冷却用流体は、上流側通路から中間連絡通路へ移行する際に上流側の突出部４０７ａによって流れの向きが電池セル３０側に向けられるので、電池セル３０に接近して中間連絡通路を流通するようになる。これにより、冷却用流体は、電池セル３０に接近した状態で中間連絡通路から流出するので、下流側のバスバ５に近い位置で下流側通路に流入するようになる。さらに冷却用流体は、中間連絡通路から下流側通路へ移行する際に下流側屋根部７ｃへ進もうとする流れがさらに下流側の突出部４０７ａによって抑えられるので、下流側通路を下流側のバスバ５を沿うように流れる。
【００７４】
この電池パック２０１によれば、ダクト部４０７ｂから電池セル３０に向けて流体通路７０に突出する突出部４０７ａを備えるので、冷却用流体を下流側でバスバ５に近づくように流すことができる。したがって、電池パック２０１は、バスバ５を直接的に冷却する冷却用流体流れを形成することにより、バスバ５の冷却性能向上を図ることができる。
【００７５】
さらに、突出部４０７ａは、流体通路７０と排煙通路１２５０とが交差する部位に対して、上流側と下流側の両方において、カバー部材４０７から電池セル３０に向けて突出しかつ先端が電池セル３０から離間している。これによれば、交差する部分の上流側に位置する突出部４０７ａは、流体通路７０において上流側通路から中間連絡通路へ移行する際に、冷却用流体の流れの向きを電池セル３０側に向けることで、冷却用流体を下流側のバスバ５に近づけることができる。さらに交差する部分の下流側に位置する突出部４０７ａは、中間連絡通路から下流側通路へ移行する際に、冷却用流体の下流側屋根部７ｃへ向かう流れを抑えることで、さらに下流側でバスバ５に沿う流れを形成できる。したがって、電池パック２０１は、上流側および下流側に設けられた突出部４０７ａによって、バスバ５を直接的に冷却する冷却用流体流れを形成することにより、バスバ５の冷却性能向上を図ることができる。
【００７６】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、ひとつの実施形態と他の実施形態との間における部品、要素の置き換え、または組み合わせを包含する。開示される技術的範囲は、実施形態の記載に限定されない。開示される技術的範囲は、特許請求の範囲の記載によって示され、さらに特許請求の範囲の記載と均等の意味および範囲内での全ての変更を含むものと解されるべきである。
【００７７】
前述の実施形態において、電池パック１はセル高さ方向Ｈ１が上下方向を向くように設置されているが、電池パック１の設置例はこのような姿勢に限定されない。例えば、電池パック１はカバー部材が電池セル３０よりも下方に位置するような姿勢、カバー部材と電池セル３０とが横方向に並ぶように位置する姿勢、図面のセル高さ方向Ｈ１が鉛直方向に対して傾くような姿勢等で設置される形態でもよい。
【００７８】
前述の第２実施形態から第５実施形態のそれぞれに開示されている突出部は、図５や図６に図示するようにセル積層方向Ｔ１についてバスバ５との位置関係を満たすものであってもよい。
【００７９】
前述の各実施形態における突出部は、バスバ５と電池セル３０とが接触する部分、例えば平板状部５０に対向する位置に設けられていることが好ましい。換言すれば、突出部は、バスバ５と電池セル３０とが接触する部分をカバー部材に投影した投影図と当該接触する部分の外形とを結んでできる所定の空間内に少なくとも一部が存在するように設けられていることが好ましい。電池セルからの放熱がバスバ５において伝わりやすい部位に、突出部によって冷却用流体を近づける流れを形成できるからである。
【００８０】
突出部は、空間内Ｓ１に存在する部分の体積が流体通路７０において上流側よりも下流側で大きくなるように設けられているという権利範囲は、前述の実施形態で開示された形態に限定されない。例えば、突出部は、流体通路７０で流体流れ方向に一つしかない構成であっても、権利範囲には、空間内Ｓ１に存在する部分の体積が流体通路７０において上流側よりも下流側で大きくなるように設けられている形態も含むものとする。
【００８１】
前述の実施形態において電池集合体を構成する電池セルは、例えば、外装ケースが薄い平板状の形態をなし、外装ケースはラミネートシートで形成されている形態でもよい。ラミネートシートは、絶縁性の高い素材で構成されている。電池セルは、例えば、二つ折りにされたラミネートシートの端部同士を熱融着することにより当該端部同士を封止して密閉された扁平状容器の内部空間を有する。この内部空間には、電極集合体、電解質、端子接続部、正極端子部の一部、および負極端子部の一部を含む電池本体部が内蔵されている。したがって、複数の電池セルは、扁平状容器の周縁部が封止されることにより、扁平状容器の内部に、電池本体部が密封状態で収容されている。各電池セルは、扁平状容器から外方へ引き出された一対の電極端子を有する。
【００８２】
前述の実施形態において、電池パック１に含まれる電池スタック３は２個の電池集合体であるが、例えば、１個の電池集合体であってもよい。また、電池パック１に含まれる電池スタック３は、流体流下方向またはこれと交差する方向に並ぶ３個以上の電池集合体であってもよい。
【００８３】
前述の実施形態において、電池スタック３を構成する複数の電池セル３０は、電池ケース４の収容空間で、隣接する電池セル間に隙間を設けずに接触させた状態で設置される形態でもよいし、電池セル間に所定の隙間をあけて設置するようにしてもよい。
【符号の説明】
【００８４】
２…バスバケース（支持部材）、  ３…電池スタック、
５…バスバ（導電部材）  ６…電圧検出線（検出用部材）、
７，１０７，２０７，３０７，４０７…カバー部材
３０…電池セル、  ３０ａ，３０ｂ…電極端子、  ７０…流体通路
７１，１７１，２７１，３７１，４７１，５７１，６７１，７７１，８７１…突出部
４０７ａ…突出部、  ４０７ｂ…ダクト部、  １２５０…排煙通路
Ｓ１…空間内、  Ｔ１…セル積層方向
【図１】
2018018754.tif 000003
【図２】
2018018754.tif 000004
【図３】
2018018754.tif 000005
【図４】
2018018754.tif 000006
【図５】
2018018754.tif 000007
【図６】
2018018754.tif 000008
【図７】
2018018754.tif 000009
【図８】
2018018754.tif 000010
【図９】
2018018754.tif 000011
【図１０】
2018018754.tif 000012
【図１１】
2018018754.tif 000013
【図１２】
2018018754.tif 000014
【図１３】
2018018754.tif 000015